(57)【要約】      （修正有）【課題】多機能で、体積が小さく、コスト低減を図る同軸ケーブル工具を提供する。【解決手段】プランジャ；シート体１０；プランジャが貫通するための第一穿孔を有し、及び、金型部２６；を含有し、金型部は上金型部２６４及び下金型部２６２を備え、前記上金型部が前記下金型部に対し回転軸を巡って回転できるように、前記上金型部が前記下金型部に枢軸連結され、前記下金型部が前記シート体に対し第二回転軸を巡って回転できるように、前記下金型部が前記シート体の第一側壁に枢軸連結され、第一回転軸の第二軸線方向、第二軸の第三軸線方向が前記第一軸線方向と平行し、工具において前記プランジャが前記第一接続口を推移し、前記上金型部及び前記下金型部は前記第一外スリーブを圧迫し、前記第一外スリーブを径方向に変形させる。【選択図】図１ａ
0003216915.tif 000002
【実用新案登録請求の範囲】
【請求項１】
同軸ケーブルを第一接続口に装着することに適合し、前記同軸ケーブルが前記第一接続口の第一外スリーブを通し、且つ前記同軸ケーブルが第一軸線方向に沿って延伸する同軸ケーブル工具であって、
プランジャ；
シート体；プランジャが貫通するための第一穿孔を有し及び
金型部；を含有し、金型部は上金型部及び下金型部を備え、前記上金型部が前記下金型部に対し回転軸を巡って回転できるように、前記上金型部が前記下金型部に枢軸連結され、前記下金型部が前記シート体に対し第二回転軸を巡って回転できるように、前記下金型部が前記シート体の第一側壁に枢軸連結され、前記第一回転軸の第二軸線方向、前記第二軸の第三軸線方向が前記第一軸線方向と平行し、その中に前記プランジャが前記第一接続口を推移し、前記上金型部及び前記下金型部は前記第一外スリーブを圧迫し、前記第一外スリーブを径方向に変形させることを特徴とする同軸ケーブル工具。
【請求項２】
前記シート体に枢軸連結するアームロッドを含有し、前記アームロッドが前記シート体に対し回転でき、前記プランジャを連れて前記第一軸線方向に沿って前記シート体に対し移動すること特徴とする請求項１に記載の同軸ケーブル工具。
【請求項３】
またプランジャ及び前記アームロッドに枢軸連結されるリンク（link）を含有すること特徴とする請求項２に記載の同軸ケーブル工具。
【請求項４】
前記シート体の第二側壁に枢軸連結するチャックを含有し、前記チャックを前記シート体に対し第三回転軸を巡って回転させ、前記第一側壁及び第二側壁が前記シート体の相対の両側に位置すること特徴とする請求項１に記載の同軸ケーブル工具。
【請求項５】
また、前記シート体の第一側壁に枢軸連結するチャックを含有し、前記チャックが第二回転軸に枢軸連結しチャックを前記シート体に対し第二回転軸を巡って回転させること特徴とする請求項１に記載の同軸ケーブル工具。
【請求項６】
また、第一チャック及び第二チャックを含有し、前記第一チャックが前記シート体の第一側壁に枢軸連結し、前記第一チャックが前記第二回転軸に枢軸連結し前記チャックを前記シート体に対し第二回転軸を巡って回転させ、第二チャックが前記シート体の第二側壁に枢軸連結し前記第二チャックを前記シート体に対し第三回転軸を巡って回転させ、前記第一側壁及び第二側壁が前記シート体の相対の両側に位置すること特徴とする請求項１に記載の同軸ケーブル工具。
【請求項７】
前記第一チャックが第一溝孔を有し、前記第二チャックが第二溝孔を有し、前記第一溝孔の直径が前記第二溝孔の直径より大きいこと特徴とする請求項６に記載の同軸ケーブル工具。
【請求項８】
前記同軸ケーブルは前記プランジャと前記第一軸線方向に同軸的に設置され、前記同軸ケーブル工具はまた、第一押し付け部品を含有し、前記第一押し付け部品が第一押し付け部を含有し、前記第一押し付け部が第一軸線方向に沿って延伸し且つ前記プランジャと前記同軸ケーブルの間に延伸線に位置し、前記同軸ケーブル工具は前記同軸ケーブルを前記第一接続口に装着する場合、前記第一押し付け部は前記第一接続口を押し付け、第一軸線方向に沿って金型部に対し移動でき、第一接続口を推移し、前記上金型部と下金型部を径方向に前記第一外スリーブを圧迫させ、かつ前記同軸ケーブル工具は前記同軸ケーブルを前記第二接続口に装着でき、この場合、前記同軸ケーブルが前記第二接続口の第二外スリーブを通し、且つ
前記同軸ケーブル工具は第二押し付け部品を含有し、第二押し付け部品は第二接続口を押しつける第二押し付け部を含有し、中に第二押し付け部が第一軸線方向に沿って延伸し且つ前記プランジャと前記同軸ケーブルの間に延伸線に位置し、第二押し付け部が第一軸線方向に沿って金型部に対し移動でき、第二接続口を推移し前記上金型部と下金型部を径方向に前記第一外スリーブを圧迫させ、中に前記第一押し付け部が前記第二押し付け部と形式上に異なってこれは異なった形式の第一接続口及び第二接続口に配合するためであることを特徴とする請求項１に記載の同軸ケーブル工具。
【請求項９】
前記第二押し付け部品が前記シート体に収納できることを特徴とする請求項８に記載の同軸ケーブル工具。
【請求項１０】
また、スプリングを含有し、それをプランジャに被り、かつ、シート体における第一穿孔に位置され、中にスプリングの一端部がスプリングの連接部に当たり、プランジャの移動が前記スプリングによって制限されることを特徴とする請求項１に記載の同軸ケーブル工具。
【請求項１１】
前記上金型部の第一弧面が前記下金型部の第二弧面へ向け、第二穿孔を形成して径方向的に前記第一外スリーブを圧迫するためであること特徴とする請求項１に記載の同軸ケーブル工具。
【請求項１２】
前記第二穿孔の一端が第一内径を備え、前記第二穿孔の他端が第二内径を備え、前記第二内径は前記第一内径より大きいことを特徴とする請求項11に記載の同軸ケーブル工具。
【請求項１３】
また前記上金型部に枢軸連結する第一ロッド体及び前記下金型部に設置される第二ロッド体を含有し、前記第一ロッド体の嵌め鈎部が前記第二ロッド体を鈎してあることを特徴とする請求項１に記載の同軸ケーブル工具。
【請求項１４】
前記上金型部及び前記下金型部の内側表面に夫々対応的な階段部を備え、それは同軸ケーブル接続口の一外凸縁を止めるためのであること特徴とする請求項１に記載の工具。
【請求項１５】
同軸ケーブルを第一接続口に装着することに適合し、前記同軸ケーブルは前記第一接続口の第一外スリーブを通し、且つ前記同軸ケーブルが第一軸線方向に沿って延伸する同軸ケーブル工具であって、
プランジャ；
シート体；前記プランジャが通すための第一穿孔を備え、
第一チャック；シート体の第一側壁に枢軸連接し前記第一チャックを
前記シート体に対し第一回転軸を巡って回転でき、及び
金型部；を含有し、
金型部は上金型部及び下金型部を備え、前記上金型部が前記下金型部に対し第二回転軸を巡って回転できるように、前記上金型部が前記下金型部に枢軸連結され、前記下金型部が前記シート体に対し第三回転軸を巡って回転できるように、前記下金型部が前記シート体の第二側壁に枢軸連結され、前記第一側壁及び前記第二側壁が前記シート体の両側に位置され、前記第一回転軸の第二軸方向、前記第二回転軸の第三軸方向、前記第三回転軸の第四軸方向が第一軸方向と平行し、中に前記プランジャが記第一接続口を推移でき、前記上金型部及び前記下金型部は前記第一外スリーブを圧迫し、前記第一外スリーブを径方向に変形させることを特徴とする同軸ケーブル工具。
【請求項１６】
前記シート体に枢軸連接するアームロッドを含有し、前記アームロッドが前記シート体に対し回転でき、前記プランジャを連れて前記第一軸方向に沿って前記シート体に対し移動できるようになることを特徴とする請求項15に記載の同軸ケーブル工具。
【請求項１７】
また前記プランジャと前記アームロッドに枢軸連結するリンクを含有すること特徴とする請求項16に記載の同軸ケーブル工具。
【請求項１８】
前記シート体の第一側壁に枢軸連結する第二チャックを含有し、前記第二チャックを前記シート体に対し第三回転軸を巡って回転させるように、前記第二チャックが前記シート体の第二側壁に枢軸連接すること特徴とする請求項15に記載の同軸ケーブル工具。
【請求項１９】
前記第一チャックが第一溝孔を有し、前記第二チャックが第二溝孔を有し、前記第一溝孔の直径が前記第二溝孔の直径より大きいこと特徴とする請求項18に記載の同軸ケーブル工具。
【請求項２０】
前記同軸ケーブルは前記プランジャと前記第一軸線方向に同軸的に設置され、前記同軸ケーブル工具はまた、第一押し付け部品を含有し、前記第一押し付け部品が第一押し付け部を含有し、前記第一押し付け部が第一軸線方向に沿って延伸し且つ前記プランジャと前記同軸ケーブルの間に延伸線に位置し、前記同軸ケーブル工具は前記同軸ケーブルを前記第一接続口に装着する場合、前記第一押し付け部が前記第一接続口を押し付け、前記第一押し付け部が第一軸線方向に沿って金型部に対し移動でき、第一接続口を推移し、前記上金型部と下金型部を径方向に前記第一外スリーブを圧迫させ、かつ前記同軸ケーブル工具は前記同軸ケーブルを前記第二接続口に装着でき、この場合、前記同軸ケーブルが前記第二接続口の第二外スリーブを通し、且つ
前記同軸ケーブル工具は第二押し付け部品を含有し、第二押し付け部品は第二接続口を押しつける第二押し付け部を含有し、中に前記第二押し付け部が第一軸線方向に沿って延伸し且つ前記プランジャと前記同軸ケーブルの間に延伸線に位置し、第二押し付け部が第一軸線方向に沿って金型部に対し移動でき、第二接続口を推移し前記上金型部と下金型部を径方向に前記第二外スリーブを圧迫させ、中に前記第一押し付け部が前記第二押し付け部と形式上に異なってこれは異なった形式の第一接続口及び第二接続口に配合するためのであることを特徴とする請求項15に記載の同軸ケーブル工具。
【請求項２１】
前記第二押し付け部品が前記シート体に収納できることを特徴とする請求項20に記載の同軸ケーブル工具。
【請求項２２】
また、スプリングを含有し、それをプランジャに被り、かつ、シート体における第一穿孔に位置され、中にスプリングの一端部がスプリングの連接部に当たり、プランジャの移動が前記スプリングによって制限されることを特徴とする請求項15に記載の同軸ケーブル工具。
【請求項２３】
前記上金型部の第一弧面が前記下金型部の第二弧面へ向け、第二穿孔を形成して径方向的に前記第一外スリーブを圧迫するためのであること特徴とする請求項15に記載の同軸ケーブル工具。
【請求項２４】
前記第二穿孔の一端が第一内径を備え、前記第二穿孔の他端が第二内径を備え、前記第二内径は前記第一内径より大きいこと特徴とする請求項23に記載の同軸ケーブル工具。
【請求項２５】
また前記上金型部に枢軸連結する第一ロッド体及び前記下金型部に設置される第二ロッド体を含有し、前記第一ロッド体の嵌め鈎部が前記第二ロッド体を鈎してあること特徴とする請求項15に記載の同軸ケーブル工具。
【請求項２６】
前記上金型部及び前記下金型部の内側表面に夫々対応的な階段部を備え、それは同軸ケーブル接続口の一外凸縁を止めるためのであること特徴とする請求項15に記載の同軸ケーブル工具。
【考案の詳細な説明】
【技術分野】
【０００１】
本実用新案は同軸ケーブル工具に関し、特に、同軸ケーブル接続口の外スリーブを金型部内に設置して外スリーブを変形させる同軸ケーブル工具に関するものである。
【背景技術】
【０００２】
伝統的に、同軸ケーブル接続口圧接工具において、異なるタイプ同軸端子を圧接する場合(例えばF型同軸端子、BNC型同軸端子)、或いは同一タイプであるが、異なる規格(例えば異なる長さ)の同軸端子圧接する場合、違いの端子圧接工具を使用する必要で、使用者の作業上に十分不便になって、しかも伝統的な同軸ケーブル接続口圧接工具の体積が割合に大きく、使用者が順調に使用できない欠点があり、また、携帯も不便である。
【考案の概要】
【考案が解決しようとする課題】
【０００３】
従って、従来技術における問題を克服するために、多機能、体積小及びコスト低減の特徴を備える同軸ケーブル圧接工具を提供することが必要である。前記の目的を実現するために、本実用新案の技術方案は以下のとおりである。
【０００４】
一つの同軸ケーブル工具（移行は「一つの」を略しても同様）は、
同軸ケーブルを第一接続口に装着することに適合し、前記同軸ケーブルが前記第一接続口の第一外スリーブを通し、且つ前記同軸ケーブルが第一軸線方向に沿って延伸する同軸ケーブル工具であって、
プランジャ；
シート体；プランジャが貫通するための第一穿孔を有し及び
金型部；を含有し、金型部は上金型部及び下金型部を備え、前記上金型部が前記下金型部に対し回転軸を巡って回転できるように、前記上金型部が前記下金型部に枢軸連結され、前記下金型部が前記シート体に対し第二回転軸を巡って回転できるように、前記下金型部が前記シート体の第一側壁に枢軸連結され、前記第一回転軸の第二軸線方向、前記第二回転軸の第三軸線方向が前記第一軸線方向と平行し、その中に前記プランジャが前記第一接続口を推移し、前記上金型部及び前記下金型部は前記第一外スリーブを圧迫し、前記第一外スリーブを径方向に変形させること。
【０００５】
前記同軸ケーブル工具は、前記シート体に枢軸連結するアームロッドを含有し、前記アームロッドが前記シート体に対し回転でき、前記プランジャを連れて前記第一軸線方向に沿って前記シート体に対し移動すること。
【０００６】
前記同軸ケーブル工具は、またプランジャ及び前記アームロッドに枢軸連結するリンク（ link）を含有すること。
【０００７】
前記同軸ケーブル工具は、前記シート体の第二側壁に枢軸連結するチャックを含有し、前記チャックは前記シート体に対し第三回転軸を巡って回転させ、前記第一側壁及び第二側壁が前記シート体の相対の両側に位置すること。
【０００８】
前記同軸ケーブル工具は、また、前記シート体の第一側壁に枢軸連結するチャックを含有し、前記チャックが第二回転軸に枢軸連結しチャックを前記シート体に対し第二回転軸を巡って回転させること。
【０００９】
前記同軸ケーブル工具は、また、第一チャック及び第二チャックを含有し、前記第一チャックは前記シート体の第一側壁に枢軸連結し、前記第一チャックが前記第二回転軸に枢軸連結しチャックを前記シート体に対し第二回転軸を巡って回転させ、第二チャックは前記シート体の第二側壁に枢軸連結し第二チャックを前記シート体に対し第三回転軸を巡って回転させ、前記第一側壁及び第二側壁が前記シート体の相対の両側に位置すること。
【００１０】
前記同軸ケーブル工具は、前記第一チャックが第一溝孔を有し、前記第二チャックが第二溝孔を有し、前記第一溝孔の直径が前記第二溝孔の直径より大きいこと。
【００１１】
前記同軸ケーブル工具は、前記同軸ケーブルと前記プランジャが前記第一軸線方向に同軸的に設置され、前記同軸ケーブル工具はまた、第一押し付け部品を含有し、前記第一押し付け部品が第一押し付け部を含有し、前記第一押し付け部が第一軸線方向に沿って延伸し且つ前記プランジャと前記同軸ケーブルの間に延伸線に位置し、前記同軸ケーブル工具は前記同軸ケーブルを前記第一接続口に装着する場合、前記第一押し付け部が前記第一接続口を押し付け、第一軸線方向に沿って金型部に対し移動でき、第一接続口を推移し、前記上金型部と下金型部を径方向に前記第一外スリーブを圧迫させ、かつ前記同軸ケーブル工具は前記同軸ケーブルを前記第二接続口に装着でき、この場合、前記同軸ケーブルが前記第二接続口の第二外スリーブを通し、且つ
前記同軸ケーブル工具は第二押し付け部品を含有し、第二押し付け部品は第二接続口を押しつける第二押し付け部を含有し、中に前記第二押し付け部が第一軸線方向に沿って延伸し且つ前記プランジャと前記同軸ケーブルの間に延伸線に位置し、前記第二押し付け部が第一軸線方向に沿って金型部に対し移動でき、第二接続口を推移し前記上金型部と下金型部を径方向に前記第一外スリーブを圧迫させ、中に前記第一押し付け部が前記第二押し付け部と形式上に異なってこれは異なった形式の第一接続口及び第二接続口に配合するためのであること。
【００１２】
前記同軸ケーブル工具は. 前記第二押し付け部品が前記シート体に収納できること。
【００１３】
前記同軸ケーブル工具は、また、スプリングを含有し、それをプランジャに被り、かつ、シート体における第一穿孔に位置され、中にスプリングの一端部がスプリングの連接部に当たり、プランジャの移動が前記スプリングによって制限されること。
【００１４】
前記同軸ケーブル工具は、前記上金型部の第一弧面が前記下金型部の第二弧面へ向け、第二穿孔を形成して径方向的に前記第一外スリーブを圧迫するためのであること。
【００１５】
前記同軸ケーブル工具は、前記第二穿孔の一端が第一内径を備え、前記第二穿孔の他端が第二内径を備え、前記第二内径は前記第一内径より大きいこと。
【００１６】
前記同軸ケーブル工具は、また前記上金型部に枢軸連結する第一ロッド体及び前記下金型部に設置される第二ロッド体を含有し、前記第一ロッド体の嵌め鈎部が前記第二ロッド体を鈎しであること。
【００１７】
前記同軸ケーブル工具は前記上金型部及び前記下金型部の内側表面に夫々対応的な階段部を備え、それは同軸ケーブル接続口の外凸縁を止めるためものであること。
【００１８】
前記同軸ケーブル工具は同軸ケーブルを第一接続口に装着することに適合し、前記同軸ケーブルが前記第一接続口の第一外スリーブを通し、且つ前記同軸ケーブルが第一軸線方向に沿って延伸すること、
プランジャ、
シート体；前記プランジャが通すための第一穿孔を備え、
第一チャック；シート体の第一側壁に枢軸連接し前記第一チャックを
前記シート体に対し第一回転軸を巡って回転でき、及び
金型部；を含有し、金型部は上金型部及び下金型部を備え、前記上金型部が前記下金型部に対し第二回転軸を巡って回転できるように、前記上金型部が前記下金型部に枢軸連結され、前記下金型部が前記シート体に対し第三回転軸を巡って回転できるように、前記下金型部が前記シート体の第二側壁に枢軸連結され、前記第一側壁及び前記第二側壁が前記シート体の両側に位置され、前記第一回転軸の第二軸方向、前記第二回転軸の第三軸方向、前記第三回転軸の第四軸方向が第一軸方向と平行し、その中に前記プランジャが記第一接続口を推移でき、前記上金型部及び前記下金型部は前記第一外スリーブを圧迫し、前記第一外スリーブを径方向に変形させること。
【００１９】
前記第一回転軸の第二軸線方向、前記第二軸の第三軸線方向が前記第一軸線方向と平行し、その中に前記プランジャが前記第一接続口を推移し、前記上金型部及び前記下金型部は前記第一外スリーブを圧迫し、前記第一側壁及び前記第一外スリーブを径方向に変形させること。
【００２０】
前記同軸ケーブル工具は、前記シート体に枢軸連接するアームロッドを含有し、前記アームロッドは前記シート体に対し回転でき、前記プランジャを連れて前記第一軸方向に沿って前記シート体に対し移動できるようになること。
【００２１】
前記同軸ケーブル工具はまたプランジャ及び前記アームロッドに枢軸連結するリンク（floating link）を含有すること。
【００２２】
前記同軸ケーブル工具は前記シート体の第一側壁に枢軸連結する第二チャックを含有し、前記第二チャックは前記シート体に対し第三回転軸を巡って回転させるように、前記第二チャックが前記シート体の第二側壁に枢軸連接すること。
【００２３】
前記同軸ケーブル工具は前記第一チャックが第一溝孔を有し、前記第二チャックが第二溝孔を有し、前記第一溝孔の直径が前記第二溝孔の直径より大きいこと。
【００２４】
前記同軸ケーブル工具は前記同軸ケーブルと前記プランジャが前記第一軸線方向に同軸的に設置され、前記同軸ケーブル工具はまた、第一押し付け部品を含有し、前記第一押し付け部品が第一押し付け部を含有し、前記第一押し付け部が第一軸線方向に沿って延伸し且つ前記プランジャと前記同軸ケーブルの間に延伸線に位置し、前記同軸ケーブル工具は前記同軸ケーブルを前記第一接続口に装着する場合、前記第一押し付け部が前記第一接続口を押し付け、前記第一押し付け部が第一軸線方向に沿って金型部に対し移動でき、第一接続口を推移し、前記上金型部と下金型部を径方向に前記第一外スリーブを圧迫させ、かつ前記同軸ケーブル工具は前記同軸ケーブルを前記第二接続口に装着でき、この場合、前記同軸ケーブルが前記第二接続口の第二外スリーブを貫通し、且つ
前記同軸ケーブル工具は第二押し付け部品を含有し、第二押し付け部品が第二接続口を押しつける第二押し付け部を含有し、中に第二押し付け部が第一軸線方向に沿って延伸し且つ前記プランジャと前記同軸ケーブルの間に延伸線に位置し、第二押し付け部が第一軸線方向に沿って金型部に対し移動でき、第二接続口を推移し前記上金型部と下金型部を径方向に前記第二外スリーブを圧迫させ、中に前記第一押し付け部が前記第二押し付け部と形式上に異なってこれは異なった形式の第一接続口及び第二接続口に配合するためのであること。
【００２５】
前記同軸ケーブル工具は前記第二押し付け部品が前記シート体に収納できること。
【００２６】
前記同軸ケーブル工具はまた、スプリングを含有し、それをプランジャに被りかつ、シート体における第一穿孔に位置され、中にスプリングの一端部がスプリングの連接部に当たり、プランジャの移動が前記スプリングによって制限されること。
【００２７】
前記同軸ケーブル工具は.前記上金型部の第一弧面が前記下金型部の第二弧面へ向け、第二貫通孔を形成して径方向的に前記第一外スリーブを圧迫するためのであること。
【００２８】
前記同軸ケーブル工具は前記第二穿孔の一端が第一内径を備え、前記第二穿孔の他端が第二内径を備え、前記第二内径は前記第一内径より大きいこと。
【００２９】
前記同軸ケーブル工具はまた前記上金型部に枢軸連結する第一ロッド体及び前記下金型部に設置される第二ロッド体を含有し、前記第一ロッド体の嵌め鈎部が前記第二ロッド体を鈎してあること。
【００３０】
前記同軸ケーブル工具は前記上金型部及び前記下金型部の内側表面に夫々対応的な階段部が備え、それは同軸ケーブル接続口の外凸縁を止めるためのであること。
【考案の効果】
【００３１】
従来技術と較べ、前記技術方案を採用する本実用新案はその利点は以下の通りである：
本実用新案の同軸ケーブル工具は上下開閉の金型部を含有し同軸ケーブル工具の外スリーブを圧迫することができ、外スリーブを変形させた後、同軸ケーブルのプラスチック表層を圧迫し更に外スリーブを同軸ケーブルに固定的に接続させ且つ同軸ケーブル工具は同軸ケーブル工具本体の二側に枢軸連結する二つチャックを有しこの二つチャックは異なったサイズの孔を備え、使用者が同軸ケーブルの直径によって適合なチャックを選択し、従って、この同軸ケーブル工具は異なった直径同軸ケーブルに適合でき、本実用新案の同軸ケーブル工具は異なった形式な同軸ケーブル接続口を圧接でき、或いは異なった形式な同軸ケーブル規格（例えば異なった長さ又は直径）を圧接できる。本実用新案の同軸ケーブル工具は高度な利便性と多機能性を備える。
【図面の簡単な説明】
【００３２】
【図１ａ】本実用新案の立体概要図である。
【図１ｂ】本実用新案の立体概要図である。
【図１ｃ】本実用新案の立体概要図である。
【図１ｄ】本実用新案の他視点からの立体概要図である。
【図２ａ】本実用新案の立体分解概要図である。
【図２ｂ】本実用新案の立体分解概要図である。
【図３ａ】本実用新案第一実施例の同軸ケーブル工具が同軸ケーブル接続口を圧着した前の断面概要図である。
【図３ｂ】本実用新案第一実施例の工具が同軸ケーブル接続口を圧着した後の断面概要図である。
【図４ａ】本実用新案第一実施例の工具が同軸ケーブル接続口連結作業をする前後対比概要図である。
【図４ｂ】本実用新案第一実施例の工具が同軸ケーブル接続口連結作業をする前後対比概要図である。
【符号の説明】
【００３３】
10シート体；12アームロッド；14リンク；16プランジャ；165スプリング；167連結スリープ；22接続部品；24押し付け部品；26金型部；28第一チャック；30第二チャック；32第三チャック；34置き換え部品；102凹溝；104貫通孔；110凹溝；112当て駒部；110a穿孔；114側壁；102a穿孔；1122凸体；125枢軸ピン；1124溝；1126連結部；1128連結部；126a穿孔；128a穿孔；122a螺子孔；28a穿孔；280固定シート；282溝孔；280a穿孔；284ポルト；30a穿孔；302溝孔；304ポルト；306螺子カバー；32a穿孔；322溝孔；324ポルト；264上金型部；262下金型部；266ロッド体；268ピン；2642連結部；2644側壁；2645溝；2646穿孔；2649凹溝；2622連結部；2622a穿孔；2624側壁；2627溝；2626穿孔；2629凸出部；2629a螺子孔；119固定螺子；2628凹溝；2623階段部；2664嵌め鈎部；2662穿孔；2666枢軸ピン；261テーパ穿孔；120曲面；121表面；122連結部；124凹溝；126側壁；124a穿孔；122a穿孔；14a穿孔；14b穿孔；162連結部；164螺子部；166凹溝；168側壁；168a穿孔；1672はめ合い凸体；1674螺子部；118枢軸ピン；1042嵌め合い部；244押し付け部；245凸体部；246ロッド部；242凹溝；247螺子部；40同軸ケーブル；38同軸ケーブル接続口；382内スリーブ；384外スリーブ；386ナット；387隙間；7編み織り層；9プラスチック皮層；1金属線；3絶縁層；5薄い金属層；167枢軸ピン；22a螺子孔；326螺子カバー。
【考案を実施するための形態】
【００３４】
以下の記述と図面とを一緒に読む場合、更に本実用新案の内容を理解でき、前記のこれらの図面の性質は説明目的であり、制限性ではないと見なすべきである。前記のこれら図面は必ずしも比例に応じて描きではない、重点は本実用新案の原理を強調するためである。
【００３５】
現在の説明性な実施例は他の実施例と切り替えることができる。空間の節約又は更なる有効表現するために、明らかな点と必要ない細部を省略した。反って、ある実施例を実施できるがあらゆる細部を表現できない。
【００３６】
本実用新案の同軸ケーブル工具は上下開閉の金型部を含有し同軸ケーブル接続口の外スリーブを圧迫でき、外スリーブを変形させた同時に、同軸ケーブルのプラスチック皮層を圧迫し、更に外スリーブを同軸ケーブルと固定し接続させ、且つ、同軸ケーブル工具は本体二側に枢軸連接された二チャックを有し、前記二チャックがサイズ違い孔を備え、使用者が同軸ケーブル線径に応じて適当なチャックを選択でき、この同軸ケーブル工具が異なった線径に適合するようになった。本実用新案の同軸ケーブル工具が異なった形式の同軸ケーブル接続口を圧接することができ（例えばF型同軸端子、BNC型同軸端子）又は異なった規格の同軸ケーブルを圧接することができ（例えば異なった長さ或いは線径）。本実用新案の同軸ケーブル工具は高度な利便性と機能性を備える。
【００３７】
本実用新型の同軸ケーブル工具の外観は、図1a、図1b、図1c及び図1dに示すように、且つ、本実用新型の同軸ケーブル工具の立体分解組み立て概要図は図2a及び図2bに示すようである。本実用新型の同軸ケーブル工具はシート10、アームロッド12、リンク14、ブランジャ16、スプリング165、連結スリーブ167、接続部品22、押し付け部品24、金型部26、第一チャック28、第二チャック30、第三チャック32及び二つ置き換え部品34を含有する。
【００３８】
このシート体10は、凹溝102、貫通孔104、凹溝110、止め金部112を含有し、その中に凹溝102が貫通孔104と連通し、凹溝110内に穿孔110aを備え、且つ、凹溝102の二側壁114に夫々穿孔102a備え、止め金部112に二凸体1122を備え、且つ、二凸体1122の間に溝1124を備え、溝1124二側に且つ二凸体1122下方に夫々連結部1126及び連結部1128を備え、連結部1126及び連結部1128上に穿孔126a及び穿孔128aを備え、且つ、凸体1122側面に螺子孔122aを備える。又、シート体10の底部に複数収納孔が設置でき、収納複数の置き換え部品34を収納するためので、この置き換え部品34は異なった規格の押し付け部品24で、例えば、異なった形状の押し付け部品24、異なった直径の押し付け部品24或いは異なった長さの押し付け部品24であり、使用者が同軸ケーブル形式によって対応形式の押し付け部品24に置き換え、例えば、F型同軸ケーブル接続口、BNC型同軸ケーブル接続口、RCA型同軸ケーブル接続口、XLR型同軸ケーブル接続口、DFP型同軸ケーブル接続口、DVI型同軸ケーブル接続口、SCART型同軸ケーブル接続口或いはRF型同軸ケーブル接続口等、使用者が必要に応じて可置き換え部品34を押し付け部品24と相互に切り替えることができる。
【００３９】
第一チャック28は穿孔28a、固定シート280及び溝孔282を備え、固定シート280上に穿孔280aを備え、第一チャック28がポルト284を経由し穿孔280aを通し凸体1122螺子孔122a上にロックされ、第一チャック28を止め金部112上に固定され且つ凹溝110上に位置され、その中に溝孔282がシート体10の溝1124に芯合わせ、且つ穿孔28aがシート体10の穿孔126aと芯合わせた。第二チャック30は穿孔30a及び溝孔302を備え、この第二チャック30が凹溝110上に設置され、且つ、穿孔30aは穿孔28a及びシート体10の穿孔126aと心合わせ、且つ溝孔302が溝孔282及びシート体10の溝1124と芯合わせ、第二チャック30がポルト304を経由し穿孔126a、穿孔28aを通して連結部1126の穿孔126a上にロックされ、その中にポルト304は更に螺螺子カバー306を被り、穿孔126a内に設置され、第二チャック30はポルト304上に枢軸され且つポルト304径向に対し回転できる。第三チャック32は穿孔32a及び溝孔322を備え、この第三チャック32が凹溝110上に設置され、且つ穿孔32aはシート体10の穿孔128aと芯合わせ、且つ溝孔322は溝孔282、溝孔302及びシート体10の溝1124と芯合わせ、第三チャック32がポルト324を経由し穿孔128aを通し、穿孔32aが連結部1128の穿孔128a上にロックされ、その中にポルト324が更に螺子カバー326を被り穿孔128a内を通し、続いて、ポルト324上に螺子ナット328をロックし、第三チャック32をポルト324上に設置させ、第三チャック32がポルト324上に枢軸連結され且つポルト324に対し径向に回転できる。また、本実用新案の第一チャック28の溝孔282直径はシート体10の溝1124の直径と同じでき、或いは同軸ケーブル直径違いによって、第一チャック28の溝孔282直径がシート体10の溝1124の直径より小さいし、且つ第一チャック28の溝孔282の直径、第二チャック30の溝孔302の直径、第三チャック32の溝孔322の直径が皆違いし、例えば、溝孔282の直径が溝孔302の直径より大きい、且つ溝孔302の直径が溝孔322の直径より大きい。
【００４０】
金型具26は上金型部264、下金型部262、ロッド体266及びピン268からなり、上金型部264の一端が連結部2642を備え、この連結部2642が穿孔(図に未表示)を備え、上金型部264の他端が二側壁2644からなる溝2645を備え、一つ側壁2644上に穿孔2646を備え、また、上金型部264が凹溝2649を備え、これは側壁2646と連結部2642の間に位置された。且つ、下金型部262の一端が連結部2622を備え、連結部2622が穿孔2622aを備え、下金型部262の他端が二側壁2624からなる溝2627を備え、一つ側壁2624上に穿孔2626を備え、ピン268がこの穿孔2626を通し溝2627内に設置され、また、下金型部262の下表面が凸出部2629を備え、この凸出部2629がシート体10の穿孔110a下に設置され、この凸出部2629が螺子孔2629aを備え、一つ固定螺子119がシート体10底部から穿孔110aを通し螺子孔2629a内にロックされ、下金型部262を凹溝110上にロック固定され、且つポルト304が連結部2622上の穿孔2622aを通し、下金型部262をポルト304上に枢軸連結され、且つシート体10に対して径向的に回転できる；また、下金型部262の側壁2624と連結部2622の間に凹溝2628を備える；また、上金型部264の凹溝2649内壁及び下金型部262の凹溝2628内壁に互いに対応の階段部2623を設置され；かつロッド体266の一端が嵌め鈎部2664を含有し、且つロッド体266他端表面が粗い表面で又は複数刻み痕跡の表面であり、ロッド体266上にまた穿孔2662を備え、それは嵌め鈎部2664と粗造表面端の間に位置される。
【００４１】
上金型部264の連結部2642を金型部262の連結部2622上に枢軸連結され、続いて、枢軸ピン2666を上金型部264の穿孔2646を通し且つ同時にロッド体266の穿孔2662を通し、ロッド体266を上金型部264上に枢軸連決された。上金型部264が下金型部262と閉合した場合、上金型部264の凹溝2649と下金型部262の凹溝2628はテーパ穿孔261に形成し、且つ嵌め鈎部2664が溝2627のピン268上に鈎され、上金型部264を下金型部262と緊密に固定させ、且つ上金型部264が下金型部262から開いた場合、使用者が手指をロッド体266の荒い表面に力を掛けて、ロッド体266の嵌め鈎部266を溝2627から離れた方向へ移動させ、同時に嵌め鈎部266がピン268から離れ、更に上金型部264を下金型部262から開いた。上金型部264と下金型部262緊密に固定した場合、且つ固定螺子119が下金型部262を凹溝110にロックされていない場合、全体の金型具26はポルト284に対し径方向に回転できる。
【００４２】
このアームロッド12は曲面120及び表面121を備え、この曲面120が使用者が操作した時に握りとして使用でき、且つアームロッド12の一端に連結部122を備え、この連結部122に凹溝124を備え、リンク14を収納且つ連結するためので、この凹溝124の二側壁126上に夫々穿孔124a及び穿孔122aを備える。リンク14の二端に夫々穿孔14a及び穿孔14bを備え、将リンク14を凹溝124内に押入れて、穿孔14aと二穿孔124aを相互に芯合わせ且つ枢軸ピン125を用いて穿孔14aと二穿孔124a内に差し込み、リンク14をアームロッド12の連結部122上に枢軸され、且つリンク14の他端の穿孔14bがブランジャ16に枢軸連結され、このブランジャ16の二端が夫々連結部162及び螺子部164を備え、その中に連結部162が凹溝166を備え、凹溝166の二側壁168上に夫々穿孔168aを備え、リンク14を凹溝166内に押入れ、穿孔14bを二穿孔168aと相互に芯合わせし且つ枢軸ピン167を用いて穿孔14bと二穿孔168a内に差込、リンク14をブランジャ16的連結部162上に枢軸連結させ、続いてスプリング165を螺子部164端からブランジャ16上に被り、且つスプリング165を連結部162上に当たり、且つ、続いて連結スリープ167をブランジャ16上に被り、この連結スリープ167一端が嵌め合凸体1672を備えスプリング165を阻止でき、連結スリープ167の他端が螺子部1674を備え、ブランジャ16、連結スリープ167及びスプリング165を凹溝102を経由してシート体10の貫通孔104内に置きいれ、且つ同時にアームロッド12の連結部122及びリンク14を凹溝102内に差込、連結部122上の穿孔122aとシート体10の二側壁114上に二穿孔102aを相互に芯合わせ且つ枢軸ピン118で穿孔122aと二穿孔102a内に挿入し、アームロッド12の連結部122をシート体10の二側壁114上に枢軸させ、且つ同時にブランジャ16上のスプリング165が連結部162と貫通孔104的孔壁の間に位置するよう、その中にスプリング165が連結スリープ167の嵌め合凸体1672表面と連結部162の間に当たり、ブランジャ16が貫通孔104を通し時に、連結スリープ167の嵌め合凸体1672が貫通孔104の嵌め合部1042(図3a中)に当たり、連結スリープ167の他端の螺子部1674が貫通孔104から突出し、その中にアームロッド12、リンク14及びブランジャ16が凹溝102内において連動関係を呈した。
【００４３】
押し付け部品24の二端が夫々押し付け部244、凸体部245及びロッド部246を備え、凸体部245は押し付け部244とロッド部246の間に位置され、押し付け部244の一端が凹溝242を備え、押し付け部244の他端が凸体部245の一端に連結され、凸体部245が荒い表面を持ち、使用者が操作時に確り握るためので、また、ロッド部246一端が螺子部247を備え、この螺子部247が結合部品22に連結でき、且つロッド部246の他端が凸体部245の他端に連結され、この結合部品22が螺子孔22aを備え、この螺子孔22a一端がロッド部246的螺子部247に連結され、且つ、螺子孔22aの他端が連結スリープ167の螺子部1674に連結された。
【００４４】
図3a及び図3bに示すように、同軸ケーブル接続口を同軸ケーブル40に取り付け、この同軸ケーブル接続口38及び同軸ケーブル40はブランジャ16、結合部品22、押し付け部品24と同軸的に設置され、その中に押し付け部品24はブランジャ16と同軸ケーブル接続口38の間に位置され、この同軸ケーブル接続口38は内スリープ382、外スリープ384及び螺子ナット386を含有し、その中に外スリープ384が同軸的に内スリープ382外側に設置され、且つ螺子ナット382が内スリープ382上に被り、内スリープ382の後端延伸部と外スリープ384の後端延伸部の間に隙間387を持って、この外スリープ384の後端延伸部が直径d1を備え、同軸ケーブル40を同軸ケーブル接続口38に取り付ける時に、同軸ケーブル40の編み織り層7及びプラスチック皮層9が内スリープ382の後端延伸部と外スリープ384の後端延伸部の間の間隙387内に押し入れ、その時、部分的な編み織り層7が外へ反り部分的なプラスチック皮層9の外表面を包み、且つ同軸ケーブル40の金属線1、絶縁層3及び薄金属層5が内スリープ382後端から内スリープ382の前端を通し、その中に金属線1が螺子ナット386からなる空間内に延伸し、金型具26の上金型部262を下金型部264から開いて、前記同軸ケーブル接続口38を装着した同軸ケーブル40を止め金部112の溝1124及び金型具26的下金型部264上に放置し、且つ同軸ケーブル接続口38の螺子ナット386を押し付け部品24上に被り、この時に同軸ケーブル40の金属線1が押し付け部品24における凹溝242内を通られ、且つ、螺子ナット386内における内スリープ382が押し付け部品24の表面上に当たり、更に上金型部262を閉め、嵌め鈎部2664を溝2627のピン268上に鈎され、上金型部264を下金型部262と確り固定せしめ、且つ上金型部262及び下金型部264が同軸ケーブル40を囲み、即ち、同軸ケーブル40が金型具26のテーパ穿孔261内に位置された。
【００４５】
更にアームロッド12をシート体10方向に向けて押し、同時にアームロッド12の連結部122によってリンク14、ブランジャ16、スプリング165、結合部品22及び押し付け部品24を連れて第一チャック28、第二チャック30、第三チャック32及びシート体10の止め金部112の方向へ移動させ、且つ押し付け部品24も同軸ケーブル接続口38及び同軸ケーブル40を押し進めながら止め金部112方向へ移動し、即ち、同軸ケーブル接続口38の一つ軸方向へ移動し、その中に移動行程中において押し付け部品24が同軸ケーブル接続口38を押しながら金型26のテーパ穿孔261内壁に抵触でき、その中に上金型部264の凹溝2649内壁及び下金型部262的凹溝2628内壁上の階段部2623は同軸ケーブル40の外スリープ384の外凸縁に当たり、この時、シート体10の貫通孔104内のスプリング165がブランジャ16の移動によって連結スリープ167とブランジャ16の連結部162の間に圧縮され、この時、アームロッド12は殆どシート体10と平行関係を呈した時に、同軸ケーブル接続口38が押し付け部品24の押しによって、同軸ケーブル接続口38の外スリープ384の後端延伸部が金型具26径向圧迫されテーパに変形し、この時、上金型部262及び下金型部264の階段部2623は使用者が力を入れすぎた場合、同軸ケーブル接続口38が金型具26に押し込みすぎ、取り出し憎いを防止でき、即ち、同軸ケーブル40に近い外スリープ384の後端延伸部38の直径d1が縮小し直径d2になって、螺子ナット386に近い外スリープ384の後端延伸部38の直径d1が変化なし、且つ内スリープ382の後端延伸部と外スリープ384の後端延伸部の間の間隙387を小さくさせ、この外スリープ384の後端延伸部変形した同時に同軸ケーブル40編層7及びプラスチック皮層9を圧迫し、同軸ケーブル40を同軸ケーブル接続口38に緊密に結合させて脱落し難い、続いて使用者がアームロッド12に対し力入れを中止し、アームロッド12を緩み、この時、スプリング165の弾力で金型具26をアームロッド12方向へ移動し、同時に、押し付け部品24、結合部品22及びブランジャ16はアームロッド12方向へ移動、アームロッド12が未圧着前の状態まで復帰し、続いてロッド体266の粗い表面上に力を入れ、ロッド体266の嵌め鈎部266を溝2627を離れた方向へ移動し、同時に嵌め鈎部266がピン268を離れ、更に上金型部264を下金型部262から開き、同軸ケーブル接続口38及び同軸ケーブル40を取り出した。
【００４６】
前記シート体10、アームロッド12、リンク14、ブランジャ16、スプリング165、連結スリープ167、結合部品22、押し付け部品24、金型具26、第一チャック28、第二チャック30、第三チャック32及び置き換え部品34の材質は例えば、銅、鉄、銀、ニッケル、錫、金、銅金合金、銅錫合金、銅ニッケル合金、真鍮、真鍮合金、リン青銅、ベリリウム銅、アルミ、アルミ合金、亜鉛合金、鋼鉄合金或いは他の高強度の重合物プラスチックから選ばれた一種又はその組み合わせたものである。また、使用者が同軸ケーブルの線径大きさによって適当なチャックを選択でき、本実用新型の同軸ケーブル工具は異なったタイプケーブルを圧接でき、（例えばF型同軸端子、BNC型同軸ケーブル）接続口、又は異なった同軸ケーブル規格（例えば異なった長さ或いは線径）接続口を圧接でき、従って、本実用新案の同軸ケーブル工具は高度な利便性と多機能性を備える。
【００４７】
以上の説明は本実用新案の説明であるに過ぎないし、非制限的であり、本分野普通技術者が理解できるように、実用新案登録請求の範囲と精神を離れないかぎり、多くの修正、変化又は均等したでも、本実用新案の保護範囲内に落ち込むべきである。注意したのは、言葉「含有」とは他の部品を排除しない、言葉「一」とは複数を排除しない。
【００４８】
特別な説明がなければ、本明細書に述べたあらゆる量度、値、等級、位置、量値、サイズ及び他の規格は近似で精確ではない。上述者がその関連機能かつ本分野技術中における慣用者と符合的な合理範囲を意欲的に持つよう。
【図１ａ】
0003216915.tif 000003
【図１ｂ】
0003216915.tif 000004
【図１ｃ】
0003216915.tif 000005
【図１ｄ】
0003216915.tif 000006
【図２ａ】
0003216915.tif 000007
【図２ｂ】
0003216915.tif 000008
【図３ａ】
0003216915.tif 000009
【図３ｂ】
0003216915.tif 000010
【図４ａ】
0003216915.tif 000011
【図４ｂ】
0003216915.tif 000012
【手続補正書】
【提出日】平成30年5月3日(2018.5.3)
【手続補正１】
【補正対象書類名】実用新案登録請求の範囲
【補正対象項目名】請求項１
【補正方法】変更
【補正の内容】
【請求項１】
同軸ケーブルを第一接続口に装着することに適合し、前記同軸ケーブルが前記第一接続口の第一外スリーブを通し、且つ前記同軸ケーブルが第一軸線方向に沿って延伸する同軸ケーブル工具であって、
プランジャ；
シート体；プランジャが貫通するための第一穿孔を有し及び
金型部；を含有し、金型部は上金型部及び下金型部を備え、前記上金型部が前記下金型部に対し回転軸を巡って回転できるように、前記上金型部が前記下金型部に枢軸連結され、前記下金型部が前記シート体に対し第二回転軸を巡って回転できるように、前記下金型部が前記シート体の第一側壁に枢軸連結され、第一回転軸の第二軸線方向、第二軸の第三軸線方向が前記第一軸線方向と平行し、工具において前記プランジャが前記第一接続口を推移し、前記上金型部及び前記下金型部は前記第一外スリーブを圧迫し、前記第一外スリーブを径方向に変形させることを特徴とする同軸ケーブル工具。
【手続補正２】
【補正対象書類名】実用新案登録請求の範囲
【補正対象項目名】請求項６
【補正方法】変更
【補正の内容】
【請求項６】
また、第一チャック及び第二チャックを含有し、前記第一チャックが前記シート体の第一側壁に枢軸連結し、前記第一チャックが前記第二回転軸に枢軸連結し前記第一チャックを前記シート体に対し第二回転軸を巡って回転させ、第二チャックが前記シート体の第二側壁に枢軸連結し前記第二チャックを前記シート体に対し第三回転軸を巡って回転させ、前記第一側壁及び第二側壁が前記シート体の相対の両側に位置すること特徴とする請求項１に記載の同軸ケーブル工具。
【手続補正３】
【補正対象書類名】実用新案登録請求の範囲
【補正対象項目名】請求項８
【補正方法】変更
【補正の内容】
【請求項８】
前記同軸ケーブルは前記プランジャと前記第一軸線方向に同軸的に設置され、前記同軸ケーブル工具はまた、第一押し付け部品を含有し、前記第一押し付け部品が第一押し付け部を含有し、前記第一押し付け部が第一軸線方向に沿って延伸し且つ前記プランジャと前記同軸ケーブルの間に延伸線に位置し、前記同軸ケーブル工具は前記同軸ケーブルを前記第一接続口に装着する場合、前記第一押し付け部は前記第一接続口を押し付け、第一軸線方向に沿って金型部に対し移動でき、第一接続口を推移し、前記上金型部と下金型部を径方向に前記第一外スリーブを圧迫させ、かつ前記同軸ケーブル工具は前記同軸ケーブルを第二接続口に装着でき、この場合、前記同軸ケーブルが前記第二接続口の第二外スリーブを通し、且つ
前記同軸ケーブル工具は第二押し付け部品を含有し、第二押し付け部品は第二接続口を押しつける第二押し付け部を含有し、第二押し付け部品において第二押し付け部が第一軸線方向に沿って延伸し且つ前記プランジャと前記同軸ケーブルの間に延伸線に位置し、第二押し付け部が第一軸線方向に沿って金型部に対し移動でき、第二接続口を推移し前記上金型部と下金型部を径方向に前記第一外スリーブを圧迫させ、第一押し付け部品において前記第一押し付け部が前記第二押し付け部と形式上に異なってこれは異なった形式の第一接続口及び第二接続口に配合するためであることを特徴とする請求項１に記載の同軸ケーブル工具。
【手続補正４】
【補正対象書類名】実用新案登録請求の範囲
【補正対象項目名】請求項１０
【補正方法】変更
【補正の内容】
【請求項１０】
また、スプリングを含有し、それをプランジャに被り、かつ、シート体における第一穿孔に位置され、第一穿孔においてスプリングの一端部がスプリングの連接部に当たり、プランジャの移動が前記スプリングによって制限されることを特徴とする請求項１に記載の同軸ケーブル工具。
【手続補正５】
【補正対象書類名】実用新案登録請求の範囲
【補正対象項目名】請求項１５
【補正方法】変更
【補正の内容】
【請求項１５】
同軸ケーブルを第一接続口に装着することに適合し、前記同軸ケーブルは前記第一接続口の第一外スリーブを通し、且つ前記同軸ケーブルが第一軸線方向に沿って延伸する同軸ケーブル工具であって、
プランジャ；
シート体；前記プランジャが通すための第一穿孔を備え、
第一チャック；シート体の第一側壁に枢軸連接し前記第一チャックを
前記シート体に対し第一回転軸を巡って回転でき、及び
金型部；を含有し、
金型部は上金型部及び下金型部を備え、前記上金型部が前記下金型部に対し第二回転軸を巡って回転できるように、前記上金型部が前記下金型部に枢軸連結され、前記下金型部が前記シート体に対し第三回転軸を巡って回転できるように、前記下金型部が前記シート体の第二側壁に枢軸連結され、前記第一側壁及び前記第二側壁が前記シート体の両側に位置され、前記第一回転軸の第二軸方向、前記第二回転軸の第三軸方向、前記第三回転軸の第四軸方向が第一軸方向と平行し、工具において前記プランジャが記第一接続口を推移でき、前記上金型部及び前記下金型部は前記第一外スリーブを圧迫し、前記第一外スリーブを径方向に変形させることを特徴とする同軸ケーブル工具。
【手続補正６】
【補正対象書類名】実用新案登録請求の範囲
【補正対象項目名】請求項２０
【補正方法】変更
【補正の内容】
【請求項２０】
前記同軸ケーブルは前記プランジャと前記第一軸線方向に同軸的に設置され、前記同軸ケーブル工具はまた、第一押し付け部品を含有し、前記第一押し付け部品が第一押し付け部を含有し、前記第一押し付け部が第一軸線方向に沿って延伸し且つ前記プランジャと前記同軸ケーブルの間に延伸線に位置し、前記同軸ケーブル工具は前記同軸ケーブルを前記第一接続口に装着する場合、前記第一押し付け部が前記第一接続口を押し付け、前記第一押し付け部が第一軸線方向に沿って金型部に対し移動でき、第一接続口を推移し、前記上金型部と下金型部を径方向に前記第一外スリーブを圧迫させ、かつ前記同軸ケーブル工具は前記同軸ケーブルを第二接続口に装着でき、この場合、前記同軸ケーブルが前記第二接続口の第二外スリーブを通し、且つ
前記同軸ケーブル工具は第二押し付け部品を含有し、第二押し付け部品は第二接続口を押しつける第二押し付け部を含有し、第二押し付け部品において前記第二押し付け部が第一軸線方向に沿って延伸し且つ前記プランジャと前記同軸ケーブルの間に延伸線に位置し、第二押し付け部が第一軸線方向に沿って金型部に対し移動でき、第二接続口を推移し前記上金型部と下金型部を径方向に前記第二外スリーブを圧迫させ、第一押し付け部品において前記第一押し付け部が前記第二押し付け部と形式上に異なってこれは異なった形式の第一接続口及び第二接続口に配合するためのであることを特徴とする請求項15に記載の同軸ケーブル工具。
【手続補正７】
【補正対象書類名】実用新案登録請求の範囲
【補正対象項目名】請求項２２
【補正方法】変更
【補正の内容】
【請求項２２】
また、スプリングを含有し、それをプランジャに被り、かつ、シート体における第一穿孔に位置され、第一穿孔においてスプリングの一端部がスプリングの連接部に当たり、プランジャの移動が前記スプリングによって制限されることを特徴とする請求項15に記載の同軸ケーブル工具。